(57)【要約】  本発明は、電気バッテリパックの欠陥セルを検出する方法であって、バッテリパックの各セルの端子での無負荷電圧を測定するステップと、前記セルの端子で測定した無負荷電圧とバッテリパックが使用されなかった日数の関数としての既知の平均無負荷電圧との偏差を計算するステップと、前記計算した偏差と数量ｎ．σとの差を計算するステップであり、ｎが１以上の整数、σが、バッテリパックが使用されなかった日数の関数である既知の標準偏差である、前記計算した偏差と数量ｎ．σとの差を計算するステップと、前記差がゼロより大きい場合に、欠陥セルを検出するステップと、を含む、方法に関する。【選択図】図２
2021511767.tif 000002
【特許請求の範囲】
【請求項１】
電気バッテリパックの異常セルを検出する方法であって、
前記バッテリパックの各セルの端子間の無負荷電圧を測定するステップと、
前記セルの端子間で測定した前記無負荷電圧と前記バッテリパックを使用しない日数に応じて把握される平均無負荷電圧との偏差を計算するステップと、
計算した前記偏差と変数ｎ．σとの差を計算するステップであって、ｎが１以上の整数であり、σが前記バッテリパックを使用しない日数に応じて決まる既知の標準偏差である、計算した前記偏差と変数ｎ．σとの差を計算するステップと、
前記差がゼロより大きい場合に、異常セルを検出するステップと、
を含むことを特徴とする、方法。
【請求項２】
ｎが、２から１０の整数であることを特徴とする、請求項１に記載の検出方法。
【請求項３】
異常セルが検出された場合の警報ステップを含むことを特徴とする、請求項１または２に記載の方法。
【請求項４】
前記警報ステップが、当該方法を実行する人物に見える視覚信号を使用することを特徴とする、請求項３に記載の方法。
【請求項５】
前記警報ステップが、当該方法を実行する人物に聞こえる音声信号を使用することを特徴とする、請求項３に記載の方法。
【請求項６】
少なくとも１つの異常セルが検出された場合に前記バッテリパックの再充電を防止するステップを実行することを特徴とする、請求項１から５のいずれか一項に記載の方法。
【請求項７】
σ≧５ｍＶの場合に、ｎ＝６であることを特徴とする、請求項１から６のいずれか一項に記載の方法。
【請求項８】
σ≧１０ｍＶの場合に、ｎ＝４であることを特徴とする、請求項１から６のいずれか一項に記載の方法。
【請求項９】
σ≧２０ｍＶの場合に、ｎ＝３であることを特徴とする、請求項１から６のいずれか一項に記載の方法。
【請求項１０】
欠陥セルの検出時に自律性の喪失を表示するステップを含むことを特徴とする、請求項１から９のいずれか一項に記載の方法。
【発明の詳細な説明】
【技術分野】
【０００１】
本発明は、電気バッテリの欠陥セルを検出する方法に関する。
【背景技術】
【０００２】
現在のところ、不均衡なバッテリパックを欠陥セルから保護し得る診断手順が存在する。ただし、この不均衡は、必ずしも欠陥セルによるものではなく、端的に言えば、自己放電のばらつきに起因する。
【０００３】
具体的に、この診断手順では一般的に、電圧を測定して、最大充電セルと最小充電セルとのＳＯＣ（充電状態）の差を推定する。したがって、この差が所定の閾値よりも大きい場合は、車両の再充電が禁止されることになる。車両は、放電してしまうと動かせなくなるため、販売店に返して修理してもらう必要が出てくる。ただし、明らかなこととして、技術または生産バッチに固有の「自然な」自己放電のばらつきを有する可能性もあるが、これは、バッテリパックが少なくとも１つの欠陥セルを含むという間違った印象を与えかねない。このため、クライアントは、車両を滅多に使用しない場合、長い時間でセルを均衡させる恩恵を受けられない。この状況において、クライアントの有するバッテリパックは、完全に機能するものの、一定の時間後には充電不可能となる可能性がある。これは、最小ＳＯＣのセルと最大ＳＯＣのセルとのＳＯＣ差が所定の閾値よりも大きくなって、欠陥と診断されるためである。
【０００４】
所与の使用に適さないセルまたは寿命に達したセルを検出することによって当該所与の使用から除外するため、米国特許第８，３３２，３４２号は、所与の使用のための放電電流を引き込んだ場合のセルの内部の電気化学的挙動が数学的にモデル化され、これにより、前記使用後の理論的ＳＯＣおよび終端電圧が推定される方法を開示している。これにより、理論的ＳＯＣおよび終端電圧に応じて、所与の使用に対するセルの継続または除外が行われる。
【０００５】
上記文献に記載の方法は、セルの電気化学を非常に正確に把握するとともに、非常に高い演算能力を有する必要があるため、実装が非常に複雑となるところが欠点である。
【０００６】
したがって、現行の方法では、実際の欠陥を自然放電から識別するのに十分な性能を有していないか、または、実装が非常に複雑である。
【発明の概要】
【０００７】
本発明に係る検出方法は、特に自然自己放電との混同なく、従来技術で明らかな欠点を克服しつつ、バッテリパックの欠陥セルを安全、容易、かつ確実に検出可能である。
【０００８】
本発明の主題は、電気バッテリパックの異常セルを検出する方法である。
【０００９】
本発明に係る方法の主要な特徴として、この方法は、
バッテリパックの各セルの端子間の無負荷電圧を測定するステップと、
前記セルの端子間で測定した前記無負荷電圧とバッテリパックを使用しない日数に応じて把握される平均無負荷電圧との偏差を計算するステップと、
計算した前記偏差と変数ｎ．σとの差を計算するステップであって、ｎが１以上の整数であり、σがバッテリパックを使用しない日数に応じて決まる既知の標準偏差である、計算した前記偏差と変数ｎ．σとの差を計算するステップと、
前記差がゼロより大きい場合に、異常セルを検出するステップと、
を含む。
【００１０】
したがって、この方法では、バッテリパックを構成するセルそれぞれを個別にテストすることによって、セルのうちの少なくとも１つに関する実際の欠陥を検出することができる。これは、標準偏差に比例する変数に対して、セルの無負荷電圧測定結果とバッテリを使用しない日数に応じて各セルが有する平均無負荷電圧との間の計算した偏差を比較することに基づく。したがって、セルに関する実際の欠陥の診断の確立に用いられる基準は、バッテリパックを構成するセルの充電状態のばらつきの単純な評価よりも完全かつ正確である。このような方法は、コンピュータにより自動車において実行されるのが好ましい。運転者は、車両の始動時に、本発明に係る方法によって、バッテリパックに少なくとも１つの欠陥セルが存在することを知らされるため都合が良い。セルに割り当てられる用語「欠陥（ｆａｕｌｔｙ）」および「異常（ｄｅｆｅｃｔｉｖｅ）」は、同義である。
【００１１】
ｎは、２から１０の整数であるのが好都合である。
【００１２】
本発明に係る方法は、異常セルが検出された場合の警報ステップを含むのが好ましい。具体的には、異常セルが検出された場合に、バッテリの再充電を防止する手段が実行される。車両の運転者がこのような欠陥を知らされて、可能な限り早く必要な措置を講じることが重要である。
【００１３】
警報ステップは、この方法を実行する人物に見える視覚信号を使用するのが好ましい。視覚信号は、車両のダッシュボードの画面上で作動する特定の表示灯により与えられるのが好都合である。
【００１４】
警報ステップは、この方法を実行する人物に聞こえる音声信号を使用するのが好都合である。
【００１５】
本発明に係る検出方法は、少なくとも１つの異常セルが検出された場合にバッテリパックの再充電を防止するステップを実行するのが好都合である。このように、異常セルが検出されるとすぐに、バッテリは再充電不可能となるが、これは、ユーザが専門店を訪れて異常セルを交換する必要があることを意味する。
【００１６】
σ≧５ｍＶの場合に、ｎ＝６であるのが好ましい。
σ≧１０ｍＶの場合に、ｎ＝４であるのが好ましい。
σ≧２０ｍＶの場合に、ｎ＝３であるのが好都合である。
【００１７】
本発明に係る検出方法は、異常セルの検出時に自律性の喪失を表示するステップを含むのが好都合である。これにより、セルが欠陥の場合は、車両の自律性の低下に反映され、直ちに車両の運転者にその旨が知らされる。
【００１８】
本発明に係る検出方法には、特に、一部のセルが経時的に他のセルよりも急速に自然放電する構成を取り除くことによって、バッテリパックのセルに関する実際の欠陥を安全かつ確実に検出できる利点がある。
【００１９】
以下の図面を参照して、本発明に係る検出方法の好適な一実施形態を詳細に説明する。
【図面の簡単な説明】
【００２０】
【図１】従来技術に係る、異常セルを検出する方法の主要なステップを示したフローチャートである。
【図２】本発明に係る、異常セルを検出する方法の主要なステップを示したフローチャートである。
【図３】測定された無負荷電圧の関数として、バッテリパックの機能セルの分布の第１の例を示したグラフである。
【図４】測定された無負荷電圧の関数として、バッテリパックの機能セルの分布の第２の例を示したグラフである。
【図５】測定された無負荷電圧の関数として、バッテリパックの機能セルの分布の第３の例を示したグラフであり、異常セルを示した図である。
【発明を実施するための形態】
【００２１】
図１を参照して、バッテリパックの欠陥電気セルを検出する従来技術の方法は、
バッテリパックの各セルの端子間の電圧を測定するステップと、
前記セルそれぞれのＳＯＣを推定するステップと、
最大充電セルと最小充電セルとのＳＯＣ差を決定するステップと、
この差が所定の値（たとえば、２０％に等しくてもよいし、３０％に等しくてもよい）以上である場合に、欠陥セルを検出するステップと、
を含む。
【００２２】
バッテリパックの少なくとも１つの欠陥セルの検出には一般的に、前記パックの充電を禁止するステップを伴う。少なくとも１つの欠陥セルが存在することにより、このパックは、動作不可能と見なされるためである。したがって、再充電可能となるには、全容量を有する新たなセルによって、各欠陥セルを置き換える必要がある。ここで、このような方法が相対的に制限されるのは、たとえば車両の未使用期間が長引いた場合のバッテリセルの経時的な自然放電を考慮していないためである。言い換えると、この方法では最終的に、有効ながらも放電したセルから欠陥セルを識別することができない。
【００２３】
本発明に係る検出方法は、健常ながらも放電したセルから欠陥セルを確実かつ明確に識別可能な特徴を有する。
【００２４】
このように、図２を参照して、本発明に係る、バッテリパックの欠陥セルを検出する方法は、
バッテリパックの各セルの端子間の無負荷電圧を測定するステップと、
前記セルの端子間で測定した無負荷電圧とバッテリを使用しない日数に応じて把握される平均無負荷電圧との偏差を計算するステップと、
前記計算した偏差と変数ｎ．σとの差を計算するステップであり、ｎが１以上の整数、σがバッテリを使用しない日数に応じて決まる既知の標準偏差である、前記計算した偏差と変数ｎ．σとの差を計算するステップと、
前記差がゼロより大きい場合に、異常セルを検出するステップと、
を含む。
【００２５】
上述の従来技術の方法とは対照的に、本発明に係る方法は、バッテリパックが一定の日数にわたって使用されていない場合に、セルの自然放電の現象を取り入れることによって、より現実的な手法を提案している。このように、自然放電によって、欠陥セルを検出する条件にバイアスが掛かることはなくなる。
【００２６】
変数ｎ．σは、標準偏差σの値に応じて調整可能である。このように、多くの利点をもたらす例として、
σ＞５ｍＶの場合は、ｎが６に設定されるようになっていてもよいし、
σ＞１０ｍＶの場合は、ｎが４に設定されるようになっていてもよいし、
σ＞２０ｍＶの場合は、ｎが３に設定されるようになっていてもよい。
【００２７】
図３は、前記セルそれぞれの端子間で測定された無負荷電圧の関数として、バッテリパックのセルの第１の例示的な分布を示している。言い換えると、各点は、測定された無負荷電圧が同じであるセルの数を表す。欠陥セルが１つもない場合は、すべての点がガウス平均の周りにまとまるものと観測され得る。測定電圧ひいてはセル間の充電状態の差異は、程度の差こそあれセルごとに顕著な自己放電現象に起因する。
【００２８】
図４は、前記セルそれぞれの端子間で測定された無負荷電圧の関数として、バッテリパックのセルの第２の例示的な分布を示している。すべての点が一貫しているのは、この分布曲線から外れる単一の点を強調することなく、連続的かつ規則的な曲線を規定可能なためである。したがって、これらすべての電圧測定結果の起点となるバッテリパックは、欠陥電気セルを一切有していない。
【００２９】
図５は、前記セルそれぞれの端子間で測定された無負荷電圧の関数として、バッテリパックのセルの第３の例示的な分布を示している。図４に示す規則的な曲線とは対照的に、図５のグラフは、前記セルの端子間で測定された無負荷電圧の関数として、セルの分布を表す曲線のわずか外側にある異常点１を示している。この点は、実際に欠陥のあるバッテリパックのセルの存在を反映している。これらの条件下では、バッテリが使えないため、もはや再充電不可能である。
【００３０】
本発明に係る検出方法は、適当なソフトウェアを有する車載コンピュータおよび各セルの端子間で電圧を測定するさまざまな装置によって、電気バッテリを備えた車両において実装される。このように、運転者は、イグニションスイッチを入れた場合に、バッテリの状態を直ちに直接知らされる。
【００３１】
この点、少なくとも１つの欠陥セルの存在が検出されていれば、本発明に係る検出方法は、警報ステップの実行によって、欠陥セルの存在を運転者に知らせることができる。この警報ステップは、たとえばダッシュボード上に現れる表示灯または特徴的な音声信号により実行されるようになっていてもよい。
【００３２】
また、本発明に係る検出方法は、バッテリの少なくとも１つの電気セルが欠陥であることが判明しているのに交換されていない場合は、前記バッテリの再充電を自動的に阻止するステップを実行するようにしてもよい。
【図１】
2021511767.tif 000003
【図２】
2021511767.tif 000004
【図３】
2021511767.tif 000005
【図４】
2021511767.tif 000006
【図５】
2021511767.tif 000007
【国際調査報告】
2021511767.tif 000008
2021511767.tif 000009
2021511767.tif 000010
2021511767.tif 000011
2021511767.tif 000012